(57)【要約】【課題】リッドフィルムの損傷なく開封および再密封を可能にしたリッドフィルム一体型密封キャップを有する容器構造体に関する。【解決手段】前記容器構造体は、密封キャップの端に、ロッキング部にロッキングまたは解除可能なロッキングリブが形成され、密封キャップの上面に熱融着され、その端が密封キャップの端から外側に突出するリッドフィルムを備え、リッドフィルムの端が容器のフランジに熱融着された構造を有する。この容器構造体は、リッドフィルムと密封キャップとが一体に熱接着されることにより、リッドフィルムを損傷なく開封させることができ、リッドフィルムに印刷された商標名などの広告文言が長持ちできるようにして使用者への便宜を提供することができる。また、密封キャップの底面に折曲溝を形成させることにより、密封キャップの開封を容易にし、かつ、内容物の上面に切断案内突起を形成するようにして内容物の一定間隔での切断を便利にする。
2013509336.tif 000002
【特許請求の範囲】
【請求項１】
内容物が収容され、上端部に外側に延びたフランジが形成され、内周面にロッキング部が形成された容器と、前記ロッキング部に結合されて容器を開閉可能に密封させる密封キャップとを備える容器構造体において、
前記密封キャップ５０の端に、前記ロッキング部３２にロッキングまたはロッキング解除可能なロッキングリブ５２が形成され、前記密封キャップ５０の上面に熱融着され、その端が前記密封キャップ５０の端から外側に突出するリッドフィルム４０を備え、
前記リッドフィルム４０の端が前記容器３０のフランジ３１に熱融着されていることを特徴とするリッドフィルム一体型密封キャップを有する容器構造体。
【請求項２】
前記密封キャップ５０の底面に、密封キャップの開放方向を横切る方向に長手方向に長く折曲溝５１が形成されていることを特徴とする請求項１に記載のリッドフィルム一体型密封キャップを有する容器構造体。
【発明の詳細な説明】
【技術分野】
【０００１】
本発明は、リッドフィルム一体型密封キャップを有する容器構造体に関し、特に、リッドフィルムの損傷なく開封および再密封を可能にしたリッドフィルム一体型密封キャップを有する容器構造体に関する。
【背景技術】
【０００２】
一般的に、コチュジャン（唐辛子味噌）、ハムのような液体または固体状態の内容物は容器に密閉されて流通する。
【０００３】
図１は、通常の密封容器を示すものであって、これは、内容物が収容される容器１０と、容器１０の上端の端に熱融着されるリッドフィルム１１と、容器１０に開閉可能に結合される蓋２０とからなる。
【０００４】
このような密封容器は、使用時、リッドフィルム１１を容器１０から分離させて密封状態を解除して用いるが、ほとんどの場合、アルミニウム薄板のようなフィルム形状のリッドフィルム１１を容器１０から除去させる時、リッドフィルム１１が破れるなどの損傷があり、再使用が不可能になる。
【０００５】
この場合、リッドフィルム１１の表面に商標名などの広告文言を印刷する必要性がなくなり、消費者への便宜提供サービスの質が低下してしまう。
【０００６】
さらに、破れたリッドフィルム１１は、そのまま一部が容器１０の上端の端に熱融着状態で残留し、内容物がそのまま残留するリッドフィルム１１に付いて蓋２０などに汚染するため、使用が不便になる。
【０００７】
前記のように、従来の密封容器は、リッドフィルム１１が容器１０の上端の端に熱融着された後、蓋２０によって最終的に密封されるが、このような構造は、リッドフィルム１１を開封する時、内容物が容器１０の上端の端に付くなどの汚染を誘発しやすく、リッドフィルム１１が破れやすくなるため、蓋２０の汚染を防止しながら再密閉して用いるのに不利になる。
【０００８】
また、流通中または生産中に蓋２０が開放された場合、リッドフィルム１１の損傷が発生することがあり、不良品を量産するという問題がある。
【発明の概要】
【発明が解決しようとする課題】
【０００９】
本発明は、上記の問題を解決するためになされたものであって、その目的は、開封時、リッドフィルムの損傷を防止しながら再密閉を可能にしたリッドフィルム一体型密封キャップを有する容器構造体を提供することである。
【００１０】
本発明の他の目的は、容器から容易に開封できるようにしたリッドフィルム一体型密封キャップを有する容器構造体を提供することである。
【００１１】
本発明のさらに他の目的は、容器に収容された内容物に切断案内突起が形成できるようにしたリッドフィルム一体型密封キャップを有する容器構造体を提供することである。
【課題を解決するための手段】
【００１２】
上記の目的を達成するための本発明は、内容物が収容され、上端部に外側に延びたフランジが形成され、内周面にロッキング部が形成された容器と、前記ロッキング部に結合されて容器を開閉可能に密封させる密封キャップとを備える容器構造体において、前記密封キャップの端に、前記ロッキング部にロッキングまたはロッキング解除可能なロッキングリブが形成され、前記密封キャップの上面に熱融着され、その端が前記密封キャップの端から外側に突出するリッドフィルムを備え、前記リッドフィルムの端が前記容器のフランジに熱融着されていることを特徴とする。
【００１３】
また、本発明の容器構造体は、前記密封キャップの底面に、密封キャップの開放方向を横切る方向に長手方向に長く折曲溝が形成されていることを特徴とする。
【発明の効果】
【００１４】
本発明の容器構造体は、リッドフィルム４０と密封キャップ５０とが一体に熱接着されることにより、リッドフィルム４０を損傷なく開封させることができ、これにより、リッドフィルム４０に印刷された商標名などの広告文言が長持ちできるようにして使用者への便宜を提供することができる。
【００１５】
また、密封キャップ５０の底面に折曲溝５１を形成させることにより、密封キャップ５０の開封を容易にし、かつ、内容物の上面に切断案内突起１０１を形成するようにして内容物の一定間隔での切断を便利にする。
【図面の簡単な説明】
【００１６】
【図１】従来の容器構造体を示す斜視図である。
【図２】本発明の実施形態の容器構造体を示す断面図である。
【図３】図２の容器構造体の密封キャップを開封させる状態の断面図である。
【図４】本発明の容器構造体に内容物が収容された状態の断面図である。
【図５】本発明の容器構造体に収容された内容物を示す斜視図である。
【発明を実施するための形態】
【００１７】
本発明の実施形態の容器構造体は、リッドフィルムを損傷なく開封させることができ、これにより、リッドフィルムに印刷された商標名などの広告文言が長持ちできるようにして使用者への便宜を提供することができる。
【００１８】
本発明の実施形態の容器構造体を示す図２〜図４を参照すると、これは、内容物１００が収容され、上端部に外側に延びたフランジ３１が形成され、内周面にロッキング部３２が形成された容器３０と、前記ロッキング部３２に結合されて容器３０を開閉可能に密封させる密封キャップ５０とを備える。
【００１９】
前記密封キャップ５０の端には、前記ロッキング部３２にロッキングまたはロッキング解除可能なロッキングリブ５２が形成されており、前記密封キャップ５０の上面には、リッドフィルム４０が熱融着されて一体型に形成されている。
【００２０】
一方、密封キャップ５０の上面に熱融着されたリッドフィルム４０の端は、密封キャップ５０の端から外側に突出し、すなわち、リッドフィルム４０は、密封キャップ５０より大きく製作され、リッドフィルム４０の端が前記容器３０のフランジ３１に熱融着される。
【００２１】
前記密封キャップ５０とリッドフィルム４０との融着力は、ロッキング部３２とロッキングリブ５２との結合力より大きくし、リッドフィルム４０とフランジ３１との融着力を解除させた後、ロッキング部３２からロッキングリブ５２のロッキング力を解除させる時、リッドフィルム４０が密封キャップ５０から分離される現象が防止されるようにした。
【００２２】
一方、前記密封キャップ５０の底面には、密封キャップ５０の開放方向を横切る方向に長手方向に長く折曲溝５１が形成される。この場合、図３のように、密封キャップ５０が反りながら開放される時、その反りを容易にして開放しやすくする。
【００２３】
また、密封キャップ５０の底面に形成された折曲溝５１は、容器３０に収容される内容物１００の上面に、図５のように切断案内突起１０１を形成し、以後、内容物１００を切断するにあたって一定の大きさに切断できるようにする。
【００２４】
上記のような構成の容器構造体は、再密封機能を有する密封キャップ５０を提供するために、リッドフィルム４０に認識マークを用いて指定された位置に密封キャップ５０を熱接着させ、これを容器３０に強制的に挿入した後（ロッキングリブ５２とロッキング部３２との結合）、容器３０のフランジ３１にリッドフィルム４０の端を熱接着させる方法によって容器構造体を生産する。
【００２５】
一方、開封時に、密封キャップ５０とリッドフィルム４０とが分離されないようにするために、まず、リッドフィルム４０と密封キャップ５０とを熱接着させ、続いて、密封キャップ５０を容器３０に結合させた後に、リッドフィルム４０の端とフランジ３１とを熱接着させる。
【００２６】
上記のような容器構造体は、リッドフィルム４０と密封キャップ５０とが一体に熱接着されることにより、リッドフィルム４０を損傷なく開封させることができ、これにより、リッドフィルム４０に印刷された商標名などの広告文言が長持ちできるようにして使用者への便宜を提供することができる。
【００２７】
また、密封キャップ５０の底面に折曲溝５１を形成させることにより、密封キャップ５０の開封を容易にし、かつ、内容物の上面に切断案内突起１０１を形成するようにして内容物の一定間隔での切断を便利にする。
【図１】
2013509336.tif 000003
【図２】
2013509336.tif 000004
【図３】
2013509336.tif 000005
【図４】
2013509336.tif 000006
【図５】
2013509336.tif 000007
【国際調査報告】
2013509336.tif 000008
2013509336.tif 000009
2013509336.tif 000010